【手続補正書】
【提出日】平成24年5月9日(2012.5.9)
【手続補正１】
【補正対象書類名】特許請求の範囲
【補正対象項目名】全文
【補正方法】変更
【補正の内容】
【特許請求の範囲】
【請求項１】
複数のクライアント装置とネットワークを介して通信可能なサーバ装置であって、
前記クライアント装置に接続可能な周辺機器に関する機器情報を、前記クライアント装置が前記機器情報を取得した取得方式とともに前記クライアント装置から受信する受信手段と、
前記機器情報を前記取得方式に関連づけて記憶する記憶手段と、
前記受信手段により受信された機器情報が既に前記記憶手段に記憶されているかどうかの判別を行う判別手段と、
前記判別手段が前記受信された機器情報が既に前記記憶手段に記憶されていると判別した場合に、当該機器情報に関連づけられた取得方式に基づいて前記機器情報が有効か無効かの判定を行う判定手段と、
を有し、
前記取得方式は、前記機器情報がユーザ操作に応答して前記クライアント装置に手動入力されたか、又は、前記クライアント装置に接続された周辺機器から送信されたかを示すことを特徴とするサーバ装置。
【請求項２】
複数のクライアント装置とネットワークを介して通信可能なサーバ装置であって、
前記クライアント装置に接続可能な周辺機器に関する機器情報を前記クライアント装置から受信する受信手段と、
前記機器情報を記憶する記憶手段と、
前記クライアント装置が前記機器情報を取得した取得方式を識別する識別手段と、
前記受信手段により受信された機器情報が既に前記記憶手段に記憶されているかどうかの判別を行う判別手段と、
前記判別手段が前記受信された機器情報が既に前記記憶手段に記憶されていると判別した場合に、当該機器情報を取得した取得方式に基づいて前記機器情報が有効か無効かの判定を行う判定手段と、
を有することを特徴とするサーバ装置。
【請求項３】
前記取得方式は、前記機器情報がユーザ操作に応答して前記クライアント装置に手動入力されたか、又は、前記クライアント装置に接続された周辺機器から送信されたかを示すことを特徴とする請求項２に記載のサーバ装置。
【請求項４】
前記識別手段は、前記機器情報が前記記憶手段に記憶された時間に基づいて前記取得方式を識別することを特徴とする請求項２又は３に記載のサーバ装置。
【請求項５】
前記判定手段により無効であると判定された機器情報を前記記憶手段から削除する削除手段を更に有することを特徴とする請求項１乃至４のうちいずれか１項に記載のサーバ装置。
【請求項６】
前記判定手段により無効であると判定された機器情報を通知する通知手段を更に有することを特徴とする請求項１乃至５のうちいずれか１項に記載のサーバ装置。
【請求項７】
ログイン要求を前記クライアント装置から受け付ける受付手段を更に有し、
前記記憶手段は、前記機器情報を前記クライアント装置のユーザに関する情報にさらに関連づけて記憶し、
前記判別手段は、前記ログイン要求で受け付けられたユーザに関する情報に関連づけられた機器情報について、前記判別を行うことを特徴とする請求項１乃至６のうちいずれか１項に記載のサーバ装置。
【請求項８】
複数のクライアント装置とネットワークを介して通信可能なサーバ装置の制御方法であって、
前記クライアント装置に接続可能な周辺機器に関する機器情報を、前記クライアント装置が前記機器情報を取得した取得方式とともに前記クライアント装置から受信する受信ステップと、
前記機器情報を前記取得方式に関連づけて記憶する記憶ステップと、
前記受信された機器情報が既に記憶されているかどうかの判別を行う判別ステップと、
前記受信された機器情報が既に記憶されていると判別した場合に、当該機器情報に関連づけられた取得方式に基づいて前記機器情報が有効か無効かの判定を行う判定ステップと、
を有し、
前記取得方式は、前記機器情報がユーザ操作に応答して前記クライアント装置に手動入力されたか、又は、前記クライアント装置に接続された周辺機器から送信されたかを示すことを特徴とする制御方法。
【請求項９】
複数のクライアント装置とネットワークを介して通信可能なサーバ装置の制御方法であって、
前記クライアント装置に接続可能な周辺機器に関する機器情報を前記クライアント装置から受信する受信ステップと、
前記機器情報を記憶する記憶ステップと、
前記クライアント装置が前記機器情報を取得した取得方式を識別する識別ステップと、
前記受信された機器情報が既に記憶されているかどうかの判別を行う判別ステップと、
前記受信された機器情報が既に記憶されていると判別した場合に、当該機器情報を取得した取得方式に基づいて前記機器情報が有効か無効かの判定を行う判定ステップと、
を有することを特徴とする制御方法。
【請求項１０】
複数のクライアント装置とネットワークを介して通信可能なサーバ装置の制御方法をコンピュータに実行させるプログラムであって、
前記コンピュータに、
前記クライアント装置に接続可能な周辺機器に関する機器情報を、前記クライアント装置が前記機器情報を取得した取得方式とともに前記クライアント装置から受信する受信ステップと、
前記機器情報を前記取得方式に関連づけて記憶する記憶ステップと、
前記受信された機器情報が既に記憶されているかどうかの判別を行う判別ステップと、
前記受信された機器情報が既に記憶されていると判別した場合に、当該機器情報に関連づけられた取得方式に基づいて前記機器情報が有効か無効かの判定を行う判定ステップと、
を実行させ、
前記取得方式は、前記機器情報がユーザ操作に応答して前記クライアント装置に手動入力されたか、又は、前記クライアント装置に接続された周辺機器から送信されたかを示すことを特徴とするプログラム。
【請求項１１】
複数のクライアント装置とネットワークを介して通信可能なサーバ装置の制御方法をコンピュータに実行させるプログラムであって、
前記コンピュータに、
前記クライアント装置に接続可能な周辺機器に関する機器情報を前記クライアント装置から受信する受信ステップと、
前記機器情報を記憶する記憶ステップと、
前記クライアント装置が前記機器情報を取得した取得方式を識別する識別ステップと、
前記受信された機器情報が既に記憶されているかどうかの判別を行う判別ステップと、
前記受信された機器情報が既に記憶されていると判別した場合に、当該機器情報を取得した取得方式に基づいて前記機器情報が有効か無効かの判定を行う判定ステップと、
を実行させることを特徴とするプログラム。
【請求項１２】
請求項１０又は１１に記載のプログラムを記録したコンピュータで読み取り可能な記録媒体。
【手続補正２】
【補正対象書類名】明細書
【補正対象項目名】０００９
【補正方法】変更
【補正の内容】
【０００９】
上記目的を達成するために、本発明の一側面としてのサーバ装置は、複数のクライアント装置とネットワークを介して通信可能なサーバ装置であって、前記クライアント装置に接続可能な周辺機器に関する機器情報を、前記クライアント装置が前記機器情報を取得した取得方式とともに前記クライアント装置から受信する受信手段と、前記機器情報を前記取得方式に関連づけて記憶する記憶手段と、前記受信手段により受信された機器情報が既に前記記憶手段に記憶されているかどうかの判別を行う判別手段と、前記判別手段が前記受信された機器情報が既に前記記憶手段に記憶されていると判別した場合に、当該機器情報に関連づけられた取得方式に基づいて前記機器情報が有効か無効かの判定を行う判定手段と、を有し、前記取得方式は、前記機器情報がユーザ操作に応答して前記クライアント装置に手動入力されたか、又は、前記クライアント装置に接続された周辺機器から送信されたかを示すことを特徴とする。